(57)【要約】【課題】  複数の着脱ユニットに設けられた通信タグ同士が、装置本体を経由しないで通信することができる着脱ユニット、現像剤収容器および画像形成装置を提供する。【解決手段】  カートリッジＫ（１２０）、カートリッジＣ（１３０）、カートリッジＭ（１４０）、カートリッジＹ（１５０）には、それぞれ通信タグＫ（１２１）、通信タグＣ（１３１）、通信タグＭ（１４１）、通信タグＹ（１５１）が備えられ、それぞれの通信タグは互いに通信可能に有線接続される。また、それぞれの通信タグは、通信部１０６と無線プロトコル通信できる。そして、それぞれの現像機は、ロータリー１１２に着脱可能に装着される。【選択図】  図８
2009237076.tif 000002
【特許請求の範囲】
【請求項１】
装置本体に複数着脱可能に設けられた着脱ユニットであって、
複数の前記着脱ユニットのそれぞれに取り付けられ、装置本体を経由せずに互いに通信可能とされた通信装置を有する着脱ユニット。
【請求項２】
画像形成装置本体に複数着脱可能に設けられた着脱ユニットであって、
複数の前記着脱ユニットのそれぞれに取り付けられ、画像形成装置本体を経由せずに互いに通信可能とされた通信装置を有する着脱ユニット。
【請求項３】
前記着脱ユニットは画像形成に用いられる現像剤を収容する現像剤収容器である請求項２記載の着脱ユニット。
【請求項４】
画像形成装置本体に複数着脱可能に設けられ、画像形成に用いられる現像剤を収容する現像剤収容器であって、
複数の前記現像剤収容器は、互いに通信可能とされた通信装置をそれぞれ有し、
前記画像形成装置は、前記現像剤収容器に取り付けられた前記通信装置と通信する制御部を備え、
前記現像剤収容器に取り付けられる通信装置は、前記制御部を経由せずに互いに通信が可能である現像剤収容器。
【請求項５】
画像形成部を有する画像形成装置であって、
前記画像形成部に着脱可能に取り付けられ、前記画像形成部に供給する現像剤を収容する複数の現像剤収容器と、
前記現像剤収容器に取り付けられる通信装置であって、記憶手段を有するとともに前記現像剤収容器に取り付けられる通信装置と互いに通信可能に接続されるマスタ通信装置と、
前記マスタ通信装置が取り付けられた現像剤収容器以外の他の現像剤収容器に取り付けられる通信装置であって、記憶手段を有するとともに前記現像剤収容器に取り付けられる通信装置と互いに通信可能に接続されるスレーブ通信装置と、
前記画像形成装置に設けられ、前記マスタ通信装置と通信する制御部と、
を有し、
前記現像剤収容器に取り付けられる通信装置は、前記制御部を経由せずに互いに通信が可能である
画像形成装置。
【請求項６】
前記制御部は、
前記マスタ通信装置を介して、前記スレーブ通信装置と通信する
請求項５記載の画像形成装置。
【請求項７】
前記マスタ通信装置は、
前記スレーブ通信装置との間の通信により、前記現像剤収容器の誤装着を検出する検出手段を有する
請求項５または６記載の画像形成装置。
【請求項８】
前記スレーブ通信装置は、
前記マスタ通信装置から送信されたパルス信号に基づきパルス信号を追加して発生し、
前記マスタ通信装置は、
前記スレーブ通信装置から返信されたパルス信号の数に基づき前記現像剤収容器の装着もれを検出する請求項７記載の画像形成装置。
【請求項９】
前記スレーブ通信装置は、
前記マスタ通信装置から送信された信号に基づき所定のパルス幅のパルス信号を追加して発生し、
前記マスタ通信装置は、
前記スレーブ通信装置から返信されたパルス信号に基づき前記現像剤収容器の装着もれを検出する請求項７記載の画像形成装置。
【請求項１０】
前記マスタ通信装置或いは前記スレーブ通信装置と通信可能に接続される通信装置であって記憶手段を有する通信装置が取り付けられたユニット
を更に備え、
前記制御部は、前記マスタ通信装置を介して、前記ユニットに取り付けられる通信装置と通信する
請求項５または６記載の画像形成装置。
【請求項１１】
像担持体に対向する回転体に装着され、前記像担持体に可視像を形成する複数の現像機と、
前記複数の現像機にそれぞれ着脱可能に設けられ、該現像機に現像剤を供給する複数の現像剤供給器と、
前記複数の現像剤供給器に取り付けられ、記憶手段を有するとともに互いに通信可能に接続される通信装置と、
前記回転体の外部に配置される通信部と、
前記通信部と通信を行う１つの前記通信装置を介して前記複数の通信装置と通信を行う制御部と
を有し、
前記通信装置は、前記制御部を経由せずに互いに通信が可能である
画像形成装置。
【請求項１２】
前記通信部は、
前記現像機が前記像担持体に対向しているときに、該現像機に設けられた現像機供給器に取り付けられる通信装置と通信可能な位置に設けられる請求項１１記載の画像形成装置。
【請求項１３】
前記通信部は、
前記現像機が前記像担持体に対向していないときに、該現像機に設けられた現像機供給器に取り付けられる通信装置と通信可能な位置に設けられる請求項１１記載の画像形成装置。
【請求項１４】
前記制御部は、
前記１つの通信装置を介して前記複数の通信装置との通信中に、前記像担持体と対向している現像機による現像処理が終了したときには、前記複数の通信装置との通信を中断して、前記回転体を回転させて次の現像機による現像処理を優先させ、次の現像機が前記像担持と対向したときに、該現像機に取り付けられた通信装置を介して前記通信を再開する請求項１３記載の画像形成装置。
【発明の詳細な説明】
【技術分野】
【０００１】
本発明は、着脱ユニット、現像剤収容器および画像形成装置に関する。
【背景技術】
【０００２】
近年、印刷装置の分野でデータ出力のカラー化が進み、カラープリンタの需要が増加している。
【０００３】
カラー印刷は、一般にＣ(Cyan)、Ｍ(Magenta)、Ｙ(Yellow)、Ｋ(black)の４色のトナーによって印刷される。
【０００４】
４色のトナーカートリッジは、それぞれの色のトナーを現像する現像機に取り付けられる。
【０００５】
そこで、４色のトナーカートリッジは、同じ色のトナーの現像機に取り付けられる必要があり、間違って他の色の現像機に取り付けられると誤印刷の原因となる。
【０００６】
特許文献１では、大きな単一のアンテナ３１が画像形成部に配設され、シアン色（Ｃ）、マゼンタ色（Ｍ）、黄色（Ｙ）、黒色（Ｋ）のトナーカートリッジにアンテナを介して無線通信を行うことができるＲＦＩＤタグが配設される。  そして、ＲＦＩＤタグの取付位置が色毎に変えられることで、トナーカートリッジの取付位置の間違いを検知することができる印刷装置が提案されている。
【０００７】
また、特許文献２には、トナーカートリッジに無線通信方式の情報記録装置を備え、画像形成装置内に、ＹＭＣＫの各色のトナーカートリッジに対応するアンテナをそれぞれ備え、トナーカートリッジの情報記録装置と通信する際には、アンテナ切替部で使用するアンテナが選択されて通信が行われる画像形成装置が提案されている。
【０００８】
また、特許文献３には、４サイクルの回転式現像装置に取り付けられるトナーカートリッジが無線通信タグを有しており、この無線通信タグと画像形成装置に設けられたアンテナとの距離が一定になり、無線通信タグとアンテナとの通信が安定して行われる画像形成装置が提案されている。
【０００９】
また、特許文献４には、４サイクルの回転式現像装置において、現像機の回転に伴って、現像機により現像される位置と現像機のメモリが更新される位置とが予め設定され、その位置に位置する現像機について現像、メモリの更新の処理が行われる画像形成装置およびその調整方法が提案されている。
【特許文献１】特開２００５−２５７８１６号公報
【特許文献２】特開２００１−２９６７７５号公報
【特許文献３】特開２００７−１７４６３号公報
【特許文献４】特開２００６−２５９０６９号公報
【発明の開示】
【発明が解決しようとする課題】
【００１０】
この発明は、複数の着脱ユニットに設けられた通信タグ同士が、装置本体に設けられる通信タグと通信するための通信部を経由しないで通信することができる着脱ユニット、現像剤収容器および画像形成装置を提供することを目的とする。
【課題を解決するための手段】
【００１１】
上記目的を達成する為、請求項１の発明の着脱ユニットは、装置本体に複数着脱可能に設けられた着脱ユニットであって、複数の前記着脱ユニットのそれぞれに取り付けられ、装置本体を経由せずに互いに通信可能とされた通信装置を有するように構成される。
【００１２】
また、請求項２の発明の着脱ユニットは、画像形成装置本体に複数着脱可能に設けられた着脱ユニットであって、複数の前記着脱ユニットのそれぞれに取り付けられ、画像形成装置本体を経由せずに互いに通信可能とされた通信装置を有するように構成される。
【００１３】
また、請求項３の発明は、請求項２の発明において、前記着脱ユニットは画像形成に用いられる現像剤を収容する現像剤収容器であるように構成される。
【００１４】
また、請求項４の発明は、画像形成装置本体に複数着脱可能に設けられ、画像形成に用いられる現像剤を収容する現像剤収容器であって、複数の前記現像剤収容器は、互いに通信可能とされた通信装置をそれぞれ有し、前記画像形成装置は、前記現像剤収容器に取り付けられた前記通信装置と通信する制御部を備え、前記現像剤収容器に取り付けられる通信装置は、前記制御部を経由せずに互いに通信が可能である現像剤収容器であるように構成される。
【００１５】
また、請求項５の発明の画像形成装置は、画像形成部を有する画像形成装置であって、前記画像形成部に着脱可能に取り付けられ、前記画像形成部に供給する現像剤を収容する複数の現像剤収容器と、前記現像剤収容器に取り付けられる通信装置であって、記憶手段を有するとともに前記現像剤収容器に取り付けられる通信装置と互いに通信可能に接続されるマスタ通信装置と、前記マスタ通信装置が取り付けられた現像剤収容器以外の他の現像剤収容器に取り付けられる通信装置であって、記憶手段を有するとともに前記現像剤収容器に取り付けられる通信装置と互いに通信可能に接続されるスレーブ通信装置と、前記画像形成装置に設けられ、前記マスタ通信装置と通信する制御部と、を有し、前記現像剤収容器に取り付けられる通信装置は、前記制御部を経由せずに互いに通信が可能であるように構成される。
【００１６】
また、請求項６の発明は、請求項５の発明において、前記制御部は、前記マスタ通信装置を介して、前記スレーブ通信装置と通信するように構成される。
【００１７】
また、請求項７の発明は、請求項５または６の発明において、前記マスタ通信装置は、前記スレーブ通信装置との間の通信により、前記現像剤収容器の誤装着を検出する検出手段を有するように構成される。
【００１８】
また、請求項８の発明は、請求項７の発明において、前記スレーブ通信装置は、前記マスタ通信装置から送信されたパルス信号に基づきパルス信号を追加して発生し、前記マスタ通信装置は、前記スレーブ通信装置から返信されたパルス信号の数に基づき前記現像剤収容器の装着もれを検出するように構成される。
【００１９】
また、請求項９の発明は、請求項７の発明において、前記スレーブ通信装置は、前記マスタ通信装置から送信された信号に基づき所定のパルス幅のパルス信号を追加して発生し、前記マスタ通信装置は、前記スレーブ通信装置から返信されたパルス信号に基づき前記現像剤収容器の装着もれを検出するように構成される。
【００２０】
また、請求項１０の発明は、請求項５または６の発明において、前記マスタ通信装置或いは前記スレーブ通信装置と通信可能に接続される通信装置であって記憶手段を有する通信装置が取り付けられたユニットを更に備え、前記制御部は、前記マスタ通信装置を介して、前記ユニットに取り付けられる通信装置と通信するように構成される。
【００２１】
また、請求項１１の発明の画像形成装置は、像担持体に対向する回転体に装着され、前記像担持体に可視像を形成する複数の現像機と、前記複数の現像機にそれぞれ着脱可能に設けられ、該現像機に現像剤を供給する複数の現像剤供給器と、前記複数の現像剤供給器に取り付けられ、記憶手段を有するとともに互いに通信可能に接続される通信装置と、前記回転体の外部に配置される通信部と、前記通信部と通信を行う１つの前記通信装置を介して前記複数の通信装置と通信を行う制御部とを有し、前記通信装置は、前記制御部を経由せずに互いに通信が可能であるように構成される。
【００２２】
また、請求項１２の発明は、請求項１１の発明において、前記通信部は、前記現像機が前記像担持体に対向しているときに、該現像機に設けられた現像機供給器に取り付けられる通信装置と通信可能な位置に設けられるように構成される。
【００２３】
また、請求項１３の発明は、請求項１１の発明において、前記通信部は、前記現像機が前記像担持体に対向していないときに、該現像機に設けられた現像機供給器に取り付けられる通信装置と通信可能な位置に設けられるように構成される。
【００２４】
また、請求項１４の発明は、請求項１３の発明において、前記制御部は、前記１つの通信装置を介して前記複数の通信装置との通信中に、前記像担持体と対向している現像機による現像処理が終了したときには、前記複数の通信装置との通信を中断して、前記回転体を回転させて次の現像機による現像処理を優先させ、次の現像機が前記像担持と対向したときに、該現像機に取り付けられた通信装置を介して前記通信を再開するように構成される。
【発明の効果】
【００２５】
請求項１の発明によれば、本構成を備えない場合と比較して、着脱ユニットの通信装置と通信するための装置本体に備えられる通信機器をより小さくすることができるという効果を奏する。
【００２６】
請求項２乃至３のいずれかの発明によれば、本構成を備えない場合と比較して、着脱ユニットの通信装置と通信するための画像形成装置本体に備えられる通信機器をより小さくすることができるという効果を奏する。
【００２７】
請求項４の発明によれば、本構成を備えない場合と比較して、現像剤収容器に取り付けられる通信装置と通信するための通信機器をより小さくすることができるという効果を奏する。
【００２８】
請求項５または６の発明によれば、本構成を備えない場合と比較して、現像剤収容器に取り付けられる通信装置と通信する為の通信機器をより小さくすることができるという効果を奏する。
【００２９】
請求項７乃至９のいずれかの発明によれば、現像剤収容器の誤装着が検出されるという効果を奏する。
【００３０】
請求項１０の発明によれば、画像形成装置の制御部が、ユニットに取り付けられた通信装置と通信することができるという効果を奏する。
【００３１】
請求項１１の発明によれば、通信部が１つの通信装置と通信していれば、他の通信装置と通信する為に回転体を回転させるという必要がないという効果を奏する。
【００３２】
請求項１２の発明によれば、現像機が像担持体に現像処理を行っている状態にでも、画像形成装置の通信部は複数の通信装置と通信を行うことができるという効果を奏する。
【００３３】
請求項１３の発明によれば、現像機が像担持体と対向しない位置であるホームポジションに位置する状態でも、通信部が複数の通信装置と通信を行うことができるという効果を奏する。
【００３４】
請求項１４の発明によれば、制御部と通信装置との通信よりも、現像機による現像処理が優先されるという効果を奏する。
【発明を実施するための最良の形態】
【００３５】
以下、本発明の実施例について添付図面を参照して詳細に説明する。
【実施例１】
【００３６】
まず、本発明に係る画像形成装置１について図１を参照して説明する。
【００３７】
図１は、画像形成装置１の一部の構成を示した模式図である。
【００３８】
図１に示すように、画像形成装置１は、タンデム方式によりトナーの現像を行う画像形成装置である。
【００３９】
画像形成装置１は、用紙トレイ２、中間転写ユニット３、転写ローラ４、定着機５、ＣＰＵ（Central Processing Unit）６、通信部７、印刷機構Ｋ（８）、印刷機構Ｃ（９）、印刷機構Ｍ（１０）、印刷機構Ｙ（１１）、カートリッジＫ（２０）、カートリッジＣ（３０）、カートリッジＭ（４０）、カートリッジＹ（５０）を有する。
【００４０】
尚、印刷機構Ｋ（８）、印刷機構Ｃ（９）、印刷機構Ｍ（１０）、印刷機構Ｙ（１１）を総称して呼ぶ場合は印刷機構１３と呼び、カートリッジＫ（２０）、カートリッジＣ（３０）、カートリッジＭ（４０）、カートリッジＹ（５０）を総称して呼ぶ場合はカートリッジ６０と呼ぶ。
【００４１】
画像形成装置１の用紙トレイ２は、画像が形成される用紙を蓄積する。
【００４２】
中間転写ユニット３は、印刷機構によって形成されたトナー像を転写ローラ４に搬送する。
【００４３】
転写ローラ４は、中間転写ユニット３によって搬送されたトナー像を、用紙トレイ２より搬送された用紙に転写する。
【００４４】
定着機５は、転写ローラ４によって用紙に転写されたトナーを、用紙に定着させる。
【００４５】
ＣＰＵ６は、画像形成装置１の統括的な制御を行い、通信部７を介して、各カートリッジ６０に設置される通信タグ６１と通信を行う。
【００４６】
通信部７は、ＣＰＵ６と有線接続されたアンテナであり、アンテナ機能を利用して、通信タグＫ（２１）と無線プロトコル通信を行う。
【００４７】
印刷機構Ｋ（８）は、黒色(black)のトナー像を中間転写ユニットに転写し、そのため、現像機、感光体、帯電機、露光装置などを備える。
【００４８】
印刷機構Ｃ（９）は、シアン色（Cyan）のトナー像を中間転写ユニットに転写し、そのため、現像機、感光体、帯電機、露光装置などを備える。
【００４９】
印刷機構Ｍ（１０）は、マゼンタ色(Magenta)のトナー像を中間転写ユニットに転写し、そのため、現像機、感光体、帯電機、露光装置などを備える。
【００５０】
印刷機構Ｙ（１１）は、黄色(Yellow)のトナー像を中間転写ユニットに転写し、そのため、現像機、感光体、帯電機、露光装置などを備える。
【００５１】
カートリッジＫ（２０）、カートリッジＣ（３０）、カートリッジＭ（４０）、カートリッジＹ（５０）は、それぞれユーザが着脱可能なユニットとしての意味で、ＣＲＵ（Customer Replacement Unit）とも呼ばれる。
【００５２】
そして、カートリッジＫ（２０）は、黒色のトナーを収容し、印刷機構Ｋ（８）に着脱可能に装着され、印刷機構Ｋ（８）に黒色のトナーを供給する。
【００５３】
また、カートリッジＫ（２０）には、通信タグＫ（２１）が取り付けられている。
【００５４】
カートリッジＣ（３０）は、シアン色のトナーを収容し、印刷機構Ｃ（９）に着脱可能に装着され、印刷機構Ｃ（９）にシアン色のトナーを供給する。
【００５５】
また、カートリッジＣ（３０）には、通信タグＣ（３１）が取り付けられている。
【００５６】
カートリッジＭ（４０）は、マゼンタ色のトナーを収容し、印刷機構Ｍ（１０）に着脱可能に装着され、印刷機構Ｍ（１０）にマゼンタ色のトナーを供給する。
【００５７】
また、カートリッジＭ（４０）には、通信タグＭ（４１）が取り付けられている。
【００５８】
カートリッジＹ（５０）は、黄色のトナーを収容し、印刷機構Ｙ（１１）に着脱可能に装着され、印刷機構Ｙ（１１）に黄色のトナーを供給する。
【００５９】
また、カートリッジＹ（５０）は、通信タグＹ（５１）が取り付けられている。
【００６０】
それぞれのカートリッジ６０に取り付けられる通信タグ（通信タグＫ（２１）、通信タグＣ（３１）、通信タグＭ（４１）、通信タグＹ（５１））を総称して通信タグ６１と呼び、説明を行う。  通信タグ６１は、絶縁性の基板を有し、また、その基板内には、メモリを内蔵した半導体チップと、導電性材料がコイル状に巻かれて形成されるタグ側アンテナと、有線の通信インタフェース（Ｉ／Ｆ）とが存在し、そして、タグ側アンテナと有線の通信Ｉ／Ｆとは、半導体チップに接続される。  通信タグ６１内に存在する半導体チップは、各カートリッジ６０についての画像形成処理状況、製造年月日、使用開始された使用開始日などの情報が記憶可能であり、且つ、不揮発性であるため電源を必要とせず、記憶内容が保持される。  また、通信タグ６１に存在する半導体チップは、有線の通信Ｉ／Ｆを介して、有線で接続される他のカートリッジ６０の半導体チップと１２Ｃプロトコル通信を行う。  また、通信タグ６１は、ＣＲＵであるカートリッジ６０内に存在するメモリとしてＣＲＵＭ(Customer Replacement Unit Memory）とも呼ばれる。
【００６１】
尚、黒色のカートリッジＫ（２０）に設置される通信タグＫ（２１）は、内部に有するタグ側アンテナを使用して、通信部７と無線プロトコル通信を行う。
【００６２】
このように構成される画像形成装置１では、ＣＰＵ６が通信部７を介して黒色のカートリッジＫ（２０）の通信タグＫ（２１）と無線プロトコル通信を行い、また、通信タグＫ（２１）が、通信タグＣ（３１）、通信タグＭ（４１）、通信タグＹ（５１）と有線プロトコル通信を行うことで、ＣＰＵ６は、通信タグＫ（２１）を介して、通信タグＣ（３１）、通信タグＭ（４１）、通信タグＹ（５１）と通信することができる。
【００６３】
そして、ＣＰＵ６は、４色のカートリッジ６０の配置場所の正誤などを検知する。
【００６４】
次に、ＣＰＵ６と通信タグ６１との通信状態について図２を参照して説明する。
【００６５】
図２は、ＣＰＵ６と通信タグ６１との通信状態を示した模式図である。
【００６６】
図２に示すように、ＣＰＵ６は通信部７と有線で接続される。
【００６７】
また、図２に示すように、印刷機構Ｋ（８）に対応して黒色のカートリッジＫ（２０）が取り付けられ、印刷機構Ｃ（９）に対応してシアン色のカートリッジＣ（３０）が取り付けられ、印刷機構Ｍ（１０）に対応してマゼンタ色のカートリッジＭ（４０）が取り付けられ、印刷機構Ｙ（１１）に対応して黄色のカートリッジＹ（５０）が取り付けられる。
【００６８】
また、カートリッジＫ（２０）に設置される通信タグＫ（２１）と、カートリッジＣ（３０）に設置される通信タグＣ（３１）と、カートリッジＭ（４０）に設置される通信タグＭ（４１）と、通信タグＹ（５１）に設置される通信タグＹ（５１）とは有線でバス接続され、有線の１２Ｃプロトコル通信が可能とされる。または、通信タグ６１同士が画像形成装置１を経由せず接触して通信してもよい。
【００６９】
そして、通信部７と通信タグＫ（２１）との間では、無線プロトコル通信が可能である。
【００７０】
第１実施例では、通信部７が無線プロトコル通信する対象は、通信タグＫ（２１）だけだが、１つの通信タグ６１に限られず複数の通信タグ６１と無線プロトコル通信がされてもよい。  但し、画像形成装置１内にＮ個の通信タグ６１が存在する場合には、通信部７が無線プロトコル通信する対象の通信タグ６１は（Ｎ−１）個の通信タグ６１とする。
【００７１】
また、第１実施例では、通信部７が無線プロトコル通信する対象は、トナーを収容するカートリッジ６０に備えられる通信タグ６１を説明するが、カートリッジ６０だけに限らず、画像形成装置１での画像形成に必要な、定着、転写、給紙、プロセス、オプショントレイ、排出トレイ等の装置で着脱可能にユニット化したものに設置される通信タグであってもよい。
【００７２】
このように構成される着脱可能なカートリッジ６０は、カートリッジ６０に設けられた通信タグ６１同士が、画像形成装置１本体に設けられる通信部７を経由しないで互いに通信可能である。
【００７３】
次に、このように構成されるカートリッジ６０の配置場所の正誤の検知について図３を参照して説明する。
【００７４】
図３に示すように、印刷機構Ｋ（８）に対応してカートリッジＫ（２０）が取り付けられ、印刷機構Ｃ（９）に対応してカートリッジＣ（３０）が取り付けられ、印刷機構Ｍ（１０）に対応してカートリッジＭ（４０）が取り付けられ、印刷機構Ｙ（１１）に対応してカートリッジＹ（５０）が取り付けられることが、各々のカートリッジ６０が正しく取り付けられた位置である。
【００７５】
そして、図３を参照して説明する場合には、それぞれ、通信タグＣ（３１）はパルス数が１のパルスを、通信タグＭ（４１）はパルス数が２のパルスを、通信タグＹ（５１）はパルス数が３のパルスを受信すると、スレーブである各々の通信タグ６１は、各々が設置されるカートリッジ６０が正しい印刷機構１３に対応して取り付けられていると確認する。
【００７６】
まず、図３に示すように、通信部７と無線プロトコル通信できる通信タグＫ（２１）がマスタとなり、他の通信タグＣ（３１）、通信タグＭ（４１）、通信タグＹ（５１）がスレーブとなる。
【００７７】
そして、図３に示すように、通信タグＫ（２１）は、隣の印刷機構Ｃ（９）に対応して取り付けられている通信タグ６１に対してパルス数が１のパルスを送信する（参照番号３０１）。
【００７８】
通信タグＣ（３１）は、パルス数が１のパルスを受信し、自らが正しい位置に取り付けられていると確認する。
【００７９】
そして、通信タグＣ（３１）は、印刷機構Ｍ（１０）に対応して取り付けられている通信タグ６１に対して、受信したパルス数に１を加算したパルス数のパルスを送信する。
【００８０】
そうすると、通信タグＭ（４１）は、パルス数が２のパルスを受信し、自らが正しい位置に取り付けられていると確認する。
【００８１】
そして、通信タグＭ（４１）は、印刷機構Ｙ（１１）に対応して取り付けられている通信タグＹ（５１）に対して、受信したパルス数に１を加算したパルス数のパルスを送信する。
【００８２】
そうすると、通信タグＹ（５１）は、パルス数が３のパルスを受信し、自らが正しい位置に取り付けられていると確認する。
【００８３】
そして、通信タグＹ（５１）は、マスタとなった通信タグ６１である通信タグＫ（２１）に対して、受信したパルス数に１を加算したパルス数のパルスを送信する。
【００８４】
そうすると、通信タグＫ（２１）は、通信タグＹ（５１）からパルス数が４のパルスを受信するので、４つのカートリッジ６０が取り付けられていると確認する。
【００８５】
また、スレーブの通信タグ６１を備えるカートリッジ６０が間違った位置に取り付けられた場合（印刷機構１３に間違った対応でカートリッジ６０が取り付けられた場合）には、その通信タグ６１からマスタの通信タグＫ（２１）に、間違った位置に取り付けられた旨の通知が行われる。
【００８６】
通信タグＫ（２１）は、スレーブの通信タグ６１から間違った位置に取り付けられた旨の通知は送られなかった場合には、スレーブの通信タグ６１のあるカートリッジ６０は全て正しい位置の印刷機構１３に対応して取り付けられていることを確認する。
【００８７】
しかし、それぞれのスレーブの通信タグ６１がパルスを受信したときに正しい位置に取り付けられていることを確認できなくて間違った位置に取り付けられていることが確認された場合には、その通信タグ６１からマスタの通信タグＫ（２１）に、その通信タグ６１の番号と間違った位置に取り付けられていることと、受信したパルス数とを送信する。  その送信を受けたマスタの通信タグＫ（２１）は、取り付け位置の間違われた通信タグ６１の種類を確認し、また、受信したパルス数に基づいて間違ってカートリッジ６０が取り付けられた印刷機構１３の種類を確認する。
【００８８】
もし、カートリッジＭ（４０）が間違って印刷機構Ｃ（９）に対応して取り付けられていた場合には、通信タグＭ（４１）は、通信タグＫ（２１）からパルス数が１のパルスを受信する。  パルス数が１のパルスを受信した通信タグＭ（４１）は、受信したパルス数が、自らが正しい位置にいる場合に受信するパルス数である２のパルスとは異なっているので、自らは間違った位置にいると確認して、マスタである通信タグＫ（２１）に通信タグＭ（４１）は間違っている位置に取り付けられていることと、受信したパルス数は１であることを通知する。
【００８９】
マスタの通信タグＫ（２１）は、通信タグＹ（５１）から受信したパルス数が４のパルスに基づいてカートリッジ６０は全て取り付けられていると確認し、その後、通信タグＭ（４１）から受信した内容に基づいて、パルス数が１のパルスを受信した通信タグＭ（４１）は、印刷機構Ｃ（９）の場所に間違って取り付けられていると判断する。
【００９０】
尚、マスタの通信タグＫ（２１）は、ＣＰＵ６にカートリッジ６０の取付位置の正誤についての情報を送信し、ＣＰＵ６によってその情報がユーザに表示されてもよい。
【００９１】
このように、通信タグＫ（２１）がマスタとなって、カートリッジ６０の配置場所の正誤の検知が行われるので、ＣＰＵ６に余計な負荷をかけなくて済む。
【００９２】
次に、画像形成装置１内に配置されるカートリッジ６０の取付位置の正誤の検知が、パルス数でなくて、パルス時間（パルスのHighまたはLowが持続される時間）によって行われる例について説明する。  尚、パルス時間は、パルス幅であってもよい。
【００９３】
図４に示すように、印刷機構Ｋ（８）に対応してカートリッジＫ（２０）が取り付けられ、印刷機構Ｃ（９）に対応してカートリッジＣ（３０）が取り付けられ、印刷機構Ｍ（１０）に対応してカートリッジＭ（４０）が取り付けられ、印刷機構Ｙ（１１）に対応してカートリッジＹ（５０）が取り付けられることが、各々のカートリッジ６０が正しく取り付けられた位置である。
【００９４】
そして、図４を参照して説明する場合には、それぞれ、通信タグＣ（３１）はパルス時間が１のパルスを、通信タグＭ（４１）はパルス時間が２のパルスを、通信タグＹ（５１）はパルス時間が３のパルスを受信すると、スレーブである各々の通信タグ６１は、各々が存在するカートリッジ６０が正しい位置に取り付けられていると確認する。
【００９５】
まず、図４に示すように、通信部７と無線プロトコル通信できる通信タグＫ（２１）がマスタとなり、隣の印刷機構Ｃ（９）に取り付けられている通信タグ６１に対してパルス時間が１のパルスを送信する（参照番号４０１）。
【００９６】
通信タグＣ（３１）は、パルス時間が１のパルスを受信し、自らが正しい位置に取り付けられていると確認する。
【００９７】
そして、通信タグＣ（３１）は、印刷機構Ｍ（１０）に対応して取り付けられているカートリッジ６０の通信タグ６１に対して、受信したパルスのパルス時間に１を加算したパルス時間のパルスを送信する。
【００９８】
そうすると、通信タグＭ（４１）は、パルス時間が２のパルスを受信し、自らが正しい位置に取り付けられていると確認する。
【００９９】
そして、通信タグＭ（４１）は、印刷機構Ｙ（１１）に取り付けられている通信タグＹ（５１）に対して、受信したパルスのパルス時間に１を加算したパルス数のパルスを送信する。
【０１００】
そうすると、通信タグＹ（５１）は、パルス時間が３のパルスを受信し、自らが正しい位置に取り付けられていると確認する。
【０１０１】
そして、通信タグＹ（５１）は、マスタとなった通信タグ６１である通信タグＫ（２１）に対して、受信したパルスのパルス時間に１を加算したパルス時間のパルスを送信する。
【０１０２】
そうすると、マスタである通信タグＫ（２１）は、通信タグＹ（５１）からパルス時間が４のパルスを受信するので、４つのカートリッジ６０が取り付けられていると確認する。
【０１０３】
また、スレーブの通信タグ６１を備えるカートリッジ６０が間違った位置に取り付けられた場合には、その通信タグ６１からマスタの通信タグＫ（２１）に、間違った位置に取り付けられた旨の通知が行われる。
【０１０４】
通信タグＫ（２１）は、スレーブの通信タグ６１から間違った位置に取り付けられた旨の通知は送られなかった場合には、スレーブの通信タグ６１のあるカートリッジ６０は全て正しい位置の印刷機構１３に対応して取り付けられていることを確認する。
【０１０５】
しかし、それぞれのスレーブの通信タグ６１がパルスを受信したときに正しい位置に取り付けられていることを確認できなくて間違った位置に取り付けられていることが確認された場合には、その通信タグ６１から通信タグＫ（２１）に、その通信タグ６１の番号と間違った位置に取り付けられていることと、受信したパルス時間とを送信する。  その送信を受けた通信タグＫ（２１）は、取り付け位置の間違われた通信タグ６１の種類を確認し、また、受信したパルス時間に基づいて間違ってカートリッジ６０が取り付けられた印刷機構１３の種類を確認する。
【０１０６】
もし、カートリッジＭ（４０）が間違って印刷機構Ｃ（９）に対応して取り付けられていた場合には、通信タグＭ（４１）は、通信タグＫ（２１）からパルス時間が１のパルスを受信する。  パルス時間が１のパルスを受信した通信タグＭ（４１）は、受信したパルス時間が、自らが正しい位置にいる場合に受信するパルス時間である２のパルスとは異なっているので、自らは間違った位置にいると確認して、マスタである通信タグＫ（２１）に通信タグＭ（４１）は間違っている位置に取り付けられていることと、受信したパルス時間は１であることを通知する。
【０１０７】
マスタの通信タグＫ（２１）は、通信タグＹ（５１）から受信したパルス時間が４のパルスに基づいてカートリッジ６０は全て取り付けられていると確認し、その後、通信タグＭ（４１）から受信した内容に基づいて、パルス時間が１のパルスを受信した通信タグＭ（４１）は、印刷機構Ｃ（９）の場所に間違って取り付けられていると判断する。
【０１０８】
尚、マスタの通信タグＫ（２１）は、ＣＰＵ６にカートリッジ６０の取付位置の正誤についての情報を送信し、その情報がＣＰＵ６によってユーザに表示されてもよい。  このように、通信タグＫ（２１）がマスタとなって、カートリッジ６０の配置場所の正誤の検知が行われるので、ＣＰＵ６に余計な負荷をかけなくて済む。
【０１０９】
次に、パルス数によるカートリッジ６０の取付位置の正誤の検知が、ＣＰＵ６がマスタとなって行われることについて図５を参照して説明を行う。
【０１１０】
図５は、ＣＰＵ６がマスタとなって、パルス数によるカートリッジ６０の取付位置の正誤の検知が行われる様子を示した模式図である。
【０１１１】
このようにＣＰＵ６がマスタとなって検知が行われ、各々の通信タグ６１で受信したパルス数に１加算されたパルス数のパルスが送信されていく場合には、それぞれ、通信タグＫ（２１）はパルス数が１のパルスを、通信タグＣ（３１）はパルス数が２のパルスを、通信タグＭ（４１）はパルス数が３のパルスを、通信タグＹ（５１）はパルス数が４のパルスを受信すると、各々の通信タグ６１は、各々が存在するカートリッジ６０が正しい位置に取り付けられていると確認する。
【０１１２】
まず、図５に示すように、ＣＰＵ６がマスタとなり、通信部２１を介して、通信部７と無線プロトコル通信できる通信タグＫ（２１）に対してパルス数が１のパルスを送信する（参照番号５０１）。
【０１１３】
通信タグＫ（２１）は、パルス数が１のパルスを受信し、自らが正しい位置に取り付けられていると確認する。
【０１１４】
そして、通信タグＫ（２１）は、感光体ドラム（Ｃ）９に対応して取り付けられているカートリッジＣ（３０）の通信タグＣ（３１）に対して、受信したパルス数に１を加算したパルス数のパルスを送信する。
【０１１５】
通信タグＣ（３１）は、パルス数が２のパルスを受信し、自らが正しい位置に取り付けられていると確認する。
【０１１６】
そして、通信タグＣ（３１）は、印刷機構Ｍ（１０）に対応して取り付けられているカートリッジ６０の通信タグ６１に対して、受信したパルス数に１を加算したパルス数のパルスを送信する。
【０１１７】
そうすると、通信タグＭ（４１）は、パルス数が３のパルスを受信し、自らが正しい位置に取り付けられていると確認する。
【０１１８】
そして、通信タグＭ（４１）は、印刷機構Ｙ（１１）に対応して取り付けられているカートリッジＹ（５０）の通信タグＹ（５１）に対して、受信したパルス数に１を加算したパルス数のパルスを送信する。
【０１１９】
そうすると、通信タグＹ（５１）は、パルス数が４のパルスを受信し、自らが正しい位置に取り付けられていると確認する。
【０１２０】
そして、通信タグＹ（５１）は、マスタとなったＣＰＵ６に対して、受信したパルス数に１を加算したパルス数のパルスを、通信部７を介して送信する。
【０１２１】
そうすると、ＣＰＵ６は、通信タグＹ（５１）からパルス数が４のパルスを受信するので、４つのカートリッジ６０が取り付けられていると確認する。
【０１２２】
また、ＣＰＵ６は、通信タグ６１から間違った位置に取り付けられた旨が記述された通知はＣＰＵ６に送られなかったので、取り付けられているカートリッジ６０は全て正しい位置に取り付けられていることを確認する。
【０１２３】
しかし、カートリッジ６０がパルスを受信したときに正しい位置に取り付けられていることを確認できなくて間違った位置に取り付けられていることが確認された場合には、そのカートリッジ６０に設置されている通信タグ６１からＣＰＵ６に、通信タグ６１の番号と間違った位置に取り付けられていることと、受信したパルス数とを送信する。  その送信を受けたＣＰＵ６は、取り付け位置の間違われた通信タグ６１の種類を確認し、また、受信したパルス数に基づいて間違ってカートリッジ６０が取り付けられている対応する感光体１３の種類を確認する。
【０１２４】
もし、カートリッジＭ（４０）が間違って印刷機構Ｃ（９）に対応して取り付けられていた場合には、通信タグＭ（４１）は、カートリッジＫ（２０）からパルス数が２のパルスを受信する。  パルス数が２のパルスを受信した通信タグＭ（４１）は、受信したパルス数が、自らが正しい位置にいる場合に受信するパルス数が３のパルスとは異なっているので、自らは間違った位置にいると確認して、マスタであるＣＰＵ６に通信タグＭ（４１）の位置が間違っている旨と通信タグＭ（４１）が受信したパルス数が２だと通知する。
【０１２５】
ＣＰＵ６は、通信タグＹ（５１）からパルス数が５のパルスを受信した後には、全ての印刷機構にカートリッジ６０は取り付けられていると判断し、パルス数が２のパルスを受信する位置は、印刷機構Ｃ（９）に対応する位置であると判断し、印刷機構Ｃ（９）に、マゼンタ色のカートリッジＭ（４０）が間違って取り付けられていると判断する。
【０１２６】
このように、ＣＰＵ６は、取付位置が間違っているカートリッジ６０の通信タグ６１についての情報や、全てのカートリッジ６０の通信タグ６１は正しく取り付けられていることを示す情報などを受信する。  尚、ＣＰＵ６は、取得した情報に基づいて、カートリッジ６０の取付位置の正誤についての情報をユーザに表示してもよい。
【０１２７】
次に、パルス時間によるカートリッジ６０の取付位置の正誤の検知が、ＣＰＵ６がマスタとなって行われることについて図６を参照して説明を行う。  尚、パルス時間は、パルス幅であってもよい。
【０１２８】
図６は、ＣＰＵ６がマスタとなって、パルス時間によるカートリッジ６０の取り付け位置の正誤が行われる様子を示した模式図である。
【０１２９】
このようにＣＰＵ６がマスタとなって検知が行われ、各々の通信タグ６１で受信したパルス時間に１加算されたパルス時間のパルスが送信されていく場合には、それぞれ、通信タグＫ（２１）はパルス時間が１のパルスを、通信タグＣ（３１）はパルス時間が２のパルスを、通信タグＭ（４１）はパルス時間が３のパルスを、通信タグＹ（５１）はパルス時間が４のパルスを受信すると、各々の通信タグ６１は、各々が存在するカートリッジ６０が正しい位置に取り付けられていると確認する。
【０１３０】
図５に示すように、マスタであるＣＰＵ６は、通信部７を介して、通信部７と無線プロトコル通信できる通信タグＫ（２１）に対してパルス時間が１のパルスを送信する（参照番号６０１）。
【０１３１】
通信タグＫ（２１）は、パルス時間が１のパルスを受信し、自らが正しい位置に取り付けられていると確認する。
【０１３２】
そして、通信タグＫ（２１）は、感光体Ｃ（９）に対応して取り付けられているカートリッジＣ（３０）の通信タグＣ（３１）に対して、受信したパルスのパルス時間に１を加算したパルス時間のパルスを送信する。
【０１３３】
通信タグＣ（３１）は、パルス時間が２のパルスを受信し、自らが正しい位置に取り付けられていると確認する。
【０１３４】
そして、通信タグＣ（３１）は、印刷機構Ｍ（１０）に取り付けられている通信タグ６１に対して、受信したパルスのパルス時間に１を加算したパルス時間のパルスを送信する。
【０１３５】
そうすると、通信タグＭ（４１）は、パルス時間が３のパルスを受信し、自らが正しい位置に取り付けられていると確認する。
【０１３６】
そして、通信タグＭ（４１）は、印刷機構Ｙ（１１）に取り付けられている通信タグＹ（５１）に対して、受信したパルスのパルス時間に１を加算したパルス数のパルスを送信する。
【０１３７】
そうすると、通信タグＹ（５１）は、パルス時間が４のパルスを受信し、自らが正しい位置に取り付けられていると確認する。
【０１３８】
そして、通信タグＹ（５１）は、マスタとなったＣＰＵ６に対して、受信したパルスのパルス時間に１を加算したパルス時間のパルスを送信する。
【０１３９】
そうすると、ＣＰＵ６は、通信タグＹ（５１）からパルス時間が４のパルスを受信するので、通信タグ６１は４つあり、４つのカートリッジ６０が取り付けられていると確認する。
【０１４０】
また、通信タグ６１から間違った位置に取り付けられた旨が記述された通知は通信タグＫ（２１）に送られなかったので、通信タグＫ（２１）は、取り付けられているカートリッジ６０は全て正しい位置に取り付けられていることを確認する。
【０１４１】
しかし、カートリッジ６０がパルスを受信したときに正しい位置に取り付けられていることを確認できなくて間違った位置に取り付けられていることが確認された場合には、そのカートリッジ６０に設置されている通信タグ６１からＣＰＵ６に、その通信タグ６１の番号と間違った位置に取り付けられていることと、受信したパルス時間とを送信する。  その送信を受けたＣＰＵ６は、取り付け位置の間違われた通信タグ６１の種類を確認し、また、受信したパルス時間に基づいて間違ってカートリッジ６０が取り付けられている対応する感光体１３の種類を確認する。
【０１４２】
もし、カートリッジＭ（４０）が間違って印刷機構Ｃ（９）に対応して取り付けられていた場合には、通信タグＭ（４１）は、カートリッジＫ（２０）からパルス時間が２のパルスを受信する。  パルス時間が２のパルスを受信した通信タグＭ（４１）は、受信したパルス時間が、自らが正しい位置にいる場合に受信するパルス時間が３のパルスとは異なっているので、自らは間違った位置にいると確認して、マスタであるＣＰＵ６に通信タグＭ（４１）の位置が間違っている旨と通信タグＭ（４１）が受信したパルス時間が２だと通知する。
【０１４３】
ＣＰＵ６は、通信タグＹ（５１）からパルス時間が５のパルスを受信した後には、全ての印刷機構にカートリッジ６０は取り付けられていると判断し、パルス時間が２のパルスを受信する位置は、印刷機構Ｃ（９）に対応する位置であると判断し、印刷機構Ｃ（９）に、マゼンタ色をカートリッジＭ（４０）が間違って取り付けられていると判断する。
【０１４４】
このように、ＣＰＵ６は、取付位置が間違っているカートリッジ６０の通信タグ６１についての情報や、全てのカートリッジ６０の通信タグ６１は正しく取り付けられていることを示す情報などを受信する。  尚、ＣＰＵ６は、取得した情報に基づいて、カートリッジ６０の取付位置の正誤についての情報をユーザに表示してもよい。
【０１４５】
次に、ＣＰＵ６が通信する通信タグ６１に定着機５の通信タグ８１が含まれている場合を図７を参照して説明する。
【０１４６】
図７は、ＣＰＵ６が定着機５の通信タグ８１と通信可能な場合を示す模式図である。
【０１４７】
図７に示すように、通信部７と無線プロトコル通信できる通信タグＫ（２１）に、通信タグ８１が有線で接続され、有線の１２Ｃプロトコル通信が可能になっている。
【０１４８】
また、通信タグＫ（２１）には、通信タグＣ（３１）、通信タグＭ（４１）、通信タグＹ（５１）が有線でバス接続され、有線の１２Ｃプロトコル通信が可能とされる。
【０１４９】
それで、ＣＰＵ６は、通信部７、通信タグＫ（２１）を介して、通信タグ８１と通信することができる。
【０１５０】
このように、通信部７と無線プロトコル通信できる通信タグ６１に１つ以上の通信タグ６１が有線接続されることで、ＣＰＵ６は、それら有線接続された通信タグ６１と通信することができる。
【０１５１】
また、通信部７と無線プロトコル通信できる通信タグ６１に有線接続される通信タグ６１の接続形態は、上記のようなバス接続だけでなく、リング接続、スター接続などであってもよい。
【０１５２】
尚、通信タグについて、通信部７と無線プロトコル通信する通信タグＫ（２１）以外の通信タグＣ（３１）、通信タグＭ（４１）、通信タグＹ（５１）は、無線プロトコル通信する為のアンテナを有していなくてもよい。
【０１５３】
尚、ＣＰＵ６と通信タグＫ（２１）とが有線接続されるように構成してもよい。
【０１５４】
尚、通信タグ６１は、いずれの通信タグがマスタ、スレーブになってもよい。
【０１５５】
尚、通信タグ６１同士の通信は、有線に限定されるものではなく、無線によって通信が行われてもよい。
【０１５６】
尚、通信タグ６１が設置されるカートリッジ６０は、トナーを収容するトナーカートリッジに限定されず、インクカートリッジであってもよい。
【０１５７】
尚、通信装置６１が設置されるのは、カートリッジ６０ではなく、感光体、現像装置が一体となった各色の所謂プロセスカートリッジであってもよい。  通信装置６１がプロセスカートリッジに取り付けられる際には、印刷機構１３とカートリッジ６０が１つのプロセスカートリッジとされて、図示しないトナー収容部からトナーがプロセスカートリッジに供給され、通信装置６１は、カートリッジ６０に設置された場合と本発明に係わる同様の機能と同様の構成とを有する。
【実施例２】
【０１５８】
まず、本発明に関わる画像形成装置１００について図８を参照して説明する。
【０１５９】
図７は、画像形成装置１００の一部の構成を示した模式図である。
【０１６０】
図７に示すように、画像形成装置１００は、４サイクル方式によりトナーの現像を行う画像形成装置である。
【０１６１】
画像形成装置１００は、用紙トレイ１０１、転写ローラ１０２、帯電ローラ１０３、定着機１０４、ＣＰＵ（Central Processing Unit）１０５、通信部１０６、感光体ドラム１０７、露光装置１０８、ロータリー１１２、現像機Ｋ（１１３）、現像機Ｃ（１１４）、現像機Ｍ（１１５）、現像機Ｙ（１１６）、カートリッジＫ（１２０）、通信タグＫ（１２１）、カートリッジＣ（１３０）、通信タグＣ（１３１）、カートリッジＭ（１４０）、通信タグＭ（１４１）、カートリッジＹ（１５０）、通信タグＹ（１５１）を有する。
【０１６２】
尚、現像機Ｋ（１１３）、現像機Ｃ（１１４）、現像機Ｍ（１１５）、現像機Ｙ（１１６）を総称して現像機１１７と呼ぶ。
【０１６３】
また、カートリッジＫ（１２０）、カートリッジＣ（１３０）、カートリッジＭ（１４０）、カートリッジＹ（１５０）を総称して呼ぶ場合はカートリッジ１６０と呼ぶ。
【０１６４】
また、通信タグＫ（１２１）、通信タグＣ（１３１）、通信タグＭ（１４１）、通信タグＹ（１５１）を総称して通信タグ１６１と呼ぶ。
【０１６５】
画像形成装置１００の用紙トレイ１０１は、画像が形成される用紙を蓄積する。
【０１６６】
転写ローラ１０２は、感光体ドラム１０７に現像されたトナー像を、用紙トレイ１０１より搬送される用紙に転写する。
【０１６７】
帯電ローラ１０３は、感光体ドラム１０７の周面を帯電する。
【０１６８】
定着機１０４は、転写ローラ１０２によって用紙に転写されたトナーを、用紙に定着させる。
【０１６９】
ＣＰＵ１０５は、画像形成装置１００の統括的な制御を行い、通信部１０６を介して、各カートリッジ１６０に設置される通信タグ１６１と通信を行う。
【０１７０】
通信部１０６は、ロータリー１１２の外部に設けられる。  そして、通信部１０６は、、カートリッジ１６０が取り付けられる現像機１１７が感光体ドラム１０７と対向する位置にあるときに、そのカートリッジ１６０に取り付けられている通信タグ１６１と無線プロトコル通信を行うアンテナである。  なお、通信部１０６は、ＣＰＵ１０５と通信可能に有線接続されている。
【０１７１】
感光体ドラム１０７では、露光装置１０８によって形成された静電潜像が、ロータリー１１２に備えられる現像機１１７によって現像され、そして、現像されたトナー像は搬送された後に転写ローラー１０２で用紙に転写される。
【０１７２】
露光装置１０８は、感光体ドラム１０７に静電潜像を形成する。
【０１７３】
ロータリー１１２には、黒色(Black)を現像する現像機Ｋ（１１３）、シアン色(Cyan)を現像する現像機Ｃ（１１４）、マゼンタ色(magenta)を現像する現像機Ｍ（１１５）、黄色(Yellow)を現像する現像機Ｙ（１１６）が決められた順番に配置される。
【０１７４】
ロータリー１１２が回転することによって、感光体ドラム１０７に現像する色のカートリッジ１６０が選択される。
【０１７５】
そして、それぞれの現像機１１７には、各色のトナーを蓄積して現像機１１７に供給するカートリッジ（１２０）、カートリッジＣ（１３０）、カートリッジＭ（１４０）、カートリッジＹ（１５０）が配置される。
【０１７６】
つまり、現像機Ｋ（１１３）には、黒色のトナーを蓄積するカートリッジＫ（１２０）が着脱可能に装着される。
【０１７７】
そして、カートリッジＫ（１２０）には通信タグＫ（１２１）が取り付けられている。
【０１７８】
現像機Ｃ（１１４）には、シアン色のトナーを蓄積するカートリッジＣ（１３０）が着脱可能に装着される。
【０１７９】
そして、カートリッジＣ（１３０）には通信タグＣ（１３１）が取り付けられている。
【０１８０】
現像機Ｍ（１１５）には、マゼンタ色のトナーを蓄積するカートリッジＭ（１４０）が着脱可能に装着される。
【０１８１】
そして、カートリッジＭ（１４０）には通信タグＭ（１４１）が取り付けられている。
【０１８２】
現像機Ｙ（１１６）には、黄色のトナーを蓄積するカートリッジＹ（１５０）が着脱可能に装着される。
【０１８３】
そして、カートリッジＹ（１５０）には通信タグＹ（１５１）が取り付けられている。  カートリッジＫ（１２０）、カートリッジＣ（１３０）、カートリッジＭ（１４０）、カートリッジＹ（１５０）は、それぞれユーザが着脱可能なユニットとして構成され、ＣＲＵ（Customer Replacement Unit）とも呼ばれる。
【０１８４】
それぞれのカートリッジ１６０に取り付けられる通信タグ（通信タグＫ（１２１）、通信タグＣ（１３１）、通信タグＭ（１４１）、通信タグＹ（１５１））を総称して通信タグ１６１と呼び、説明を行う。  通信タグ１６１は、絶縁性の基板を有し、また、その基板内には、メモリを内蔵した半導体チップと、導電性材料がコイル状に巻かれて形成されるタグ側アンテナと、有線の通信インタフェース（Ｉ／Ｆ）とが存在し、そして、タグ側アンテナと有線の通信Ｉ／Ｆとは、半導体チップに接続される。  通信タグ１６１に存在する半導体チップは、各カートリッジ１６０についての画像形成処理状況、製造年月日、使用開始された使用開始日などの情報が記憶可能であり、且つ、不揮発性であるため電源を必要とせず、記憶内容が保持される。  また、通信タグ１６１に存在する半導体チップは、有線の通信Ｉ／Ｆを介して、有線で接続される他のカートリッジ１６０の半導体チップと１２Ｃプロトコル通信を行う。  そのため、通信タグＫ（１２１）、通信タグＣ（１３１）、通信タグＭ（１４１）、通信タグＹ（１５１）はリング接続によって有線接続されている。  また、通信タグ１６１は、ＣＲＵであるカートリッジ１６０内に存在するメモリとしてＣＲＵＭ(Customer Replacement Unit Memory）とも呼ばれる。  また、通信タグ１６１は、その通信タグ１６１が存在するカートリッジ１６０が取り付けられている現像機１１７が感光体ドラム１０７と対向している場合に、有するタグ側通信アンテナを介して、通信部１０６と無線プロトコル通信を行い、ＣＰＵ１０５と通信を行うことができる。
【０１８５】
次に、ロータリー１１２周辺の構成について図９を参照して説明する。
【０１８６】
図９はロータリー１１２周辺の構成について示した模式図である。
【０１８７】
図９に示すように、円形のロータリー１１２に、黒色を現像する現像機Ｋ（１１３）から左回りに、シアン色を現像する現像機Ｃ（１１４）、マゼンタ色を現像する現像機Ｍ（１１５）、黄色を現像する現像機Ｙ（１１６）が円状に配置されている。
【０１８８】
そして、現像機Ｋ（１１３）には通信タグＫ（１２１）を備えたカートリッジＫ（１２０）が、現像機Ｃ（１１４）には通信タグＣ（１３１）を備えたカートリッジＣ（１３０）が、現像機Ｍ（１１５）には通信タグＭ（１４１）を備えたカートリッジＭ（１４０）が、現像機Ｙ（１１６）には通信タグＹ（１５１）を備えたカートリッジＹ（１５０）がそれぞれ着脱可能に装着される。
【０１８９】
通信タグ１６１がリング状に有線接続される順番は、現像機１１７と同様に、通信タグＫ（１２１）から左回りに、通信タグＣ（１３１）、通信タグＭ（１４１）、通信タグＹ（１５１）の順番で接続される。
【０１９０】
円形のロータリー１１２が回転することによって、感光体ドラム１０７に対するそれぞれのカートリッジ１６０の位置が変わる。
【０１９１】
そして、現像機１１７が感光体ドラム１０７と対向する位置に位置するときに、その対向する現像機１１７に装着されるカートリッジ１６０に取り付けられる通信タグ１６１が通信部１０６と通信することができる。  通信部１０６と通信する通信タグ１６１は、通信部１０６を介してＣＰＵ１０５と通信する。
【０１９２】
各々の通信タグ１６１は有線接続されているので、ＣＰＵ（１０６）は、感光体ドラム１０７と対向する位置の現像機１１７に装着されるカートリッジ１６０の通信タグ１６１を介して、ロータリー１１２内の全ての現像機１１７に装着されるカートリッジ１６０の通信タグ１６１と通信することができる。
【０１９３】
そして、このように構成される着脱可能なカートリッジ１６０は、カートリッジ１６０に設けられた通信タグ１６１同士が、画像形成装置１００本体に設けられる通信部１０６を経由しないで互いに通信可能である。
【０１９４】
次に、ロータリー１１２の回転と、通信タグ１６１の通信時の関係について図１０を参照して説明を行う。
【０１９５】
図１０は、ロータリー１１２の回転と、通信タグ１６１の通信時の関係について示した模式図であり、図１０（ａ）は現像機Ｍ（１１５）が感光体ドラム１０７と対向する位置にあることを示す模式図であり、図１０（ｂ）は図１０（ａ）で示す位置から感光体ドラム１０７が回転中であることを示す模式図であり、図１０（ｃ）は現像機Ｙ（１１６）が感光体ドラム１０７と対向する位置にあることを示す模式図である。
【０１９６】
例えば、図１０（ａ）に示すように、マゼンタ色を現像する現像機Ｍ（１１５）が感光体ドラム１０７と対向する位置に位置し、現像機Ｍ（１１５）によってマゼンタ色の現像が行われている状態では、現像機Ｍ（１１５）に装着されるカートリッジＭ（１４０）に取り付けられる通信タグＭ（１４１）が通信部１０６と無線プロトコル通信することができる。
【０１９７】
しかし、現像機Ｍ（１１５）による現像が終了したときに、通信タグＭ（１４１）が通信部１０６と通信中である場合には、マゼンタ色の次の色の現像処理が通信タグＭ（１４１）の通信よりも優先されて、次のような動作が行われる。  すなわち、通信タグＭ（１４１）と通信部１０６との通信が一時停止されて、マゼンタ色の次の色を現像する為にロータリー１１２の回転が開始される。
【０１９８】
ロータリー１１２は、図１０（ｂ）に示すように、次の色を現像させるために回転する。
【０１９９】
ロータリー１１２が回転して、図１０（ｃ）に示すように、次の色である黄色の現像機Ｙ（１１６）が感光体ドラム１０７と対向する位置で、ロータリー１１２の回転は停止される。
【０２００】
そして、図１０（ｃ）に示すように、現像機Ｙ（１１６）が感光体ドラム１０７と対向する位置に位置すると、現像機Ｙ（１１６）に装着されるカートリッジＹ（１５０）に取り付けられる通信タグＹ（１５１）は、通信部１０６と通信を開始する。  開始される通信内容は、先ほど、通信タグＭ（１４１）が通信部１０６と通信を一時停止した通信内容の続きである。
【０２０１】
このように、現像色の変更の為のロータリーの回転などのプロセス処理と、通信タグ１６１−通信部１０６間の通信処理とでは、プロセス処理であるロータリー１１２の回転が優先されて通信タグ１６１の通信は一時停止される。  そして、ロータリー１１２の回転が終了して、いずれかの現像機１１７が感光体ドラム１０７と対向する位置にあるとその現像機１１７に装着されるカートリッジ１６０に取り付けられる通信タグ１６１が通信部１０６と通信を再開する。
【０２０２】
このように通信タグ１６１−通信部１０６間の通信処理より優先される画像形成装置１００のプロセス処理は、露光、帯電、ウォームアップ、クリーニング、プロセスコントロールなど画像形成に必要な処理であってよい。
【０２０３】
次に、ＣＰＵ１０５が、ロータリー内の現像機１１７に装着されるカートリッジ１６０の位置の正誤を検知することについて図１１を参照して説明する。
【０２０４】
図１１は、ＣＰＵ１０５がカートリッジ１６０の位置の正誤を検知する様子を示した模式図である。
【０２０５】
ＣＰＵ１０５は、通信部１０６を介して、ロータリー１１２内の通信タグＫ（１２１）に、位置正誤を検知する信号の発信を命令する。
【０２０６】
通信タグＫ（１２１）は、ＣＰＵ１０５から命令されると、自分のコマンドである「１」を右回転方向隣の現像機１１７に取り付けられるカートリッジＹ（１５０）の通信タグＹ（１５１）に送信する（参照番号１１０１）。  尚、通信タグ１６１の各々の自分のコマンドは、通信タグＫ（１２１）が「１」、通信タグＹ（１５１）が「２」、通信タグＭ（１４１）が「３」、通信タグＣ（１３１）が「４」であるとする。
【０２０７】
通信タグＫ（１２１）より「１」のコマンドを受信した通信タグＹ（１５１）は、受信したコマンドに自分のコマンドである「２」を足して生成する「１」「２」のコマンドを、右回転方向隣の通信タグＭ（１４１）に送信する（参照番号１１０２）。
【０２０８】
通信タグＹ（１５１）より「１」「２」のコマンドを受信した通信タグＭ（１４１）は、受信したコマンドに自分のコマンドである「３」を足して生成する「１」「２」「３」のコマンドを右回転方向隣の通信タグＣ（１３１）に送信する（参照番号１１０３）。
【０２０９】
通信タグＭ（１４１）より「１」「２」「３」のコマンドを受信した通信タグＣ（１３１）は、受信したコマンドに自分のコマンドである「４」を足して生成する「１」「２」「３」「４」のコマンドを右回転方向隣の通信タグＫ（１２１）に送信する（参照番号１１０４）。
【０２１０】
「１」「２」「３」「４」のコマンドを受信した通信タグＫ（１２１）は、受信したコマンドをＣＰＵ１０５に無線プロトコル通信で送信する。
【０２１１】
ＣＰＵ１０５は、通信タグＫ（１２１）より「１」「２」「３」「４」のコマンドを受信するので、ロータリー１１２には、カートリッジＫ（１２０）より右回り順番に、カートリッジＹ（１５０）、カートリッジＭ（１４０）、カートリッジＣ（１３０）が配置されることを確認し、正しい順番でカートリッジ１６０が取り付けられていることを確認する。
【０２１２】
なお、参照番号１１０１で示した、最初に自分のコマンドを送信する通信タグ１６１は、通信タグＫ（１２１）でなくても、いずれの通信タグ１６１であってもよい。
【０２１３】
次に、カートリッジ１６０が間違った位置に取り付けられた例について図１２を参照して説明する。
【０２１４】
図１２に示すように、図１１を参照して説明した正しい場合と比較して、カートリッジＣ（１３０）とカートリッジＹ（１５０）が互いに逆の位置に取り付けられている。
【０２１５】
そして、通信タグＫ（１２１）は自らのコマンド「１」を送信し（参照番号１２０１）、次に通信タグＣ（１３１）は自らのコマンド「４」を加算したコマンド「１」「４」を送信し（参照番号１２０２）、次に通信タグＭ（１４１）は自らのコマンド「３」を加算したコマンド「１」「４」「３」を送信し（参照番号１２０３）、次に通信タグＹ（１５１）は自らのコマンド「２」を加算したコマンド「１」「４」「３」「２」を通信タグＫ（１２１）に送信する（参照番号１２０４）。
【０２１６】
通信タグＫ（１２１）は、受信したコマンド「１」「４」「３」「２」をＣＰＵ１０５に無線プロトコル通信で送信する。
【０２１７】
ＣＰＵ１０５は、受信したコマンド「１」「４」「３」「２」に基づいて、正しい状態のコマンドと異なる「４」と「２」に相当する通信タグＣ（１３１）を有するカートリッジＣ（１３０）と通信タグＹ（１５１）を有するカートリッジＹ（１５０）の取り付け位置が間違っていると判断する。
【０２１８】
次に、カートリッジ１６０が取り付けられていない例について図１３を参照して説明する。
【０２１９】
図１３に示すように、図１１を参照して説明した正しい場合と比較して、通信タグＭ（１４１）を有するカートリッジＭ（１４０）が現像機Ｍ（１１５）に取り付けられていない場合には、通信タグＫ（１２１）は自らのコマンド「１」を送信し（参照番号１３０１）、次に通信タグＹ（１５１）は自らのコマンド「２」を加算したコマンド「１」「２」を送信し（参照番号１３０２）、カートリッジＭ（１４０）に取り付けられるはずの通信タグ１６１の順番は飛ばされ、次に通信タグＣ（１３１）が自らのコマンド「４」を加算したコマンド「１」「２」「４」を通信タグＫ（１２１）に送信する（参照番号１３０３）。
【０２２０】
通信タグＫ（１２１）は、受信したコマンド「１」「２」「４」をＣＰＵ１０５に送信する。
【０２２１】
ＣＰＵ１０５は、受信したコマンド「１」「２」「４」に基づいて、正しい状態のコマンドと比較して、コマンド「３」に相当する通信タグＭ（１４１）のカートリッジＭ（１４０）が取り付けられていないと判断する。
【０２２２】
このようにして、ロータリー１１２内のカートリッジ１６０の正誤の位置検知が行われる。
【０２２３】
尚、ロータリー１１２内の通信タグ１６１同士の接続は、上記説明したようにリング接続でなく、バス接続、スター接続であってもよい。
【０２２４】
尚、画像形成装置１００は、通信部１０６の画像形成装置１００内での配置位置が変更されることにより、感光体ドラム１０７と対向している現像機１１７に装着されるカートリッジに取り付けられる通信タグ１６１と通信部１０６とが無線プロトコル通信されるのではなく、ロータリー１１２がホームポジション（待機位置）の時であって現像機１１７が感光体ドラム１０７と対向していない位置に位置する時にその現像機１１７に装着されるカートリッジ１６０に取り付けられる通信タグ１６１と通信部１０６とが無線プロトコル通信できるように構成されてもよい。
【０２２５】
次に、画像形成装置１００が、感光体ドラム１０７と対向していない現像機１１７に装着されるカートリッジ１６０の通信タグ１６１が通信部１０６と通信できるように構成される場合について、図１４を参照して説明を行う。
【０２２６】
図１４は、感光体ドラム１０７と対向していない現像機１１７に装着されるカートリッジ１６０に取り付けられる通信タグ１６１と通信部１０６とが無線プロトコル通信できるように構成された画像形成装置１００の一部の構成を示す模式図である。
【０２２７】
図１４に示すように、感光体ドラム１０７と対向していない現像機１１７（図１４では現像機Ｍ（１１５））に装着されるカートリッジ１６０（図１４ではカートリッジＭ（１４０））に取り付けられる通信タグ１６１（図１４では通信タグＭ（１４１））が、通信部１０５と無線プロトコル通信を行う。
【０２２８】
通信部１０６は、図１４に示すように、感光体ドラム１０７と対向していない現像機１１７に装着されるカートリッジ１６０に取り付けられる通信タグ１６１と無線プロトコル通信できるような位置に配置される。
【０２２９】
このように現像機１１７が感光体ドラム１０７と対向していない場合に、ＣＰＵ１０５がロータリー１１２内の通信タグ１６１と通信できるようにも、画像形成装置１００は構成される。
【０２３０】
また、ＣＰＵ１０５は、現像機１１７の動作中以外で、通信タグ１６１と通信することができるので、現像機１１７の動作による通信へのノイズなどの悪影響を受けにくい。
【０２３１】
このように現像機１１７と感光体ドラム１０７とが対向していない状態で、ＣＰＵ１０５と通信タグ１６１とが通信可能であるように画像形成装置１００が構成されても、図１１乃至１３を参照して説明したカートリッジ１６０の取り付け位置の正誤の検知は行われる。
【０２３２】
このように現像機１１７と感光体ドラム１０７とが対向していない状態で、ＣＰＵ１０５と通信タグ１６１とが通信可能であるように画像形成装置１００が構成されても、ロータリー内の通信タグ１６１同士の接続は、リング接続だけでなく、バス接続、スター接続であってもよい。
【０２３３】
また、現像機１１７と感光体ドラム１０７とが対向していない状態で、ＣＰＵ１０５と通信タグ１６１とが通信可能であるように画像形成装置１００が構成されても、画像形成におけるプロセス処理と、ＣＰＵ１０５と通信タグ１６１との通信とでは、プロセス処理が優先されるようにも構成できる。
【０２３４】
尚、通信タグ１６１とＣＰＵ１０５との通信が現像機１１７と感光体ドラム１０７とが対向している状態で行われる場合であっても対向しない状態で行われる場合であっても、ロータリー１１２内の通信タグ１６１と通信部１０６との通信は、無線プロトコル通信だけでなく、接点を設けた有線通信や光通信であってもよい。
【０２３５】
次に、通信タグ１６１と通信部１０６との通信が接点を設けた有線通信で行われる場合について図１５を参照して説明する。
【０２３６】
図１５はロータリー１１２内の現像機１１７に装着されるカートリッジ１６０に取り付けられる通信タグ１６１が有線によってＣＰＵ１０５と通信される状態を示した模式図であり、図１５（ａ）はロータリー１１２が回転する状態を示す模式図であり、図１５（ｂ）はロータリー１１２が通常方向回転時にＣＰＵ１０５と接続される接点棒１７０を倒す状態を示す模式図であり、図１５（ｃ）はロータリー１１２が逆方向回転をしてロータリー１１２内の通信タグ１６１の接点１６２と接点棒１７０の接点１７１とが接して通信タグ１６１とＣＰＵ１０５との有線による通信が可能になった状態を示す模式図である。
【０２３７】
図１５（ａ）に示すようにロータリー１１２内の各通信タグ１６１には、接点１６２が各々設けられている（通信タグＫ（１２１）に備えられる接点を接点１２２、通信タグＣ（１３１）に備えられる接点を接点１３２、通信タグＭ（１４１）に備えられる接点を接点１４２、通信タグＹ（１５１）に備えられる接点を接点１５２をと呼び、接点１２２、１３２、１４２、１５２を総称して接点１６２と呼ぶ）。  接点１６２は、通信タグ１６１の、ロータリー１１２の通常回転とは逆回転方向に設けられている。  また、ＣＰＵ１０５側の接点１７１を有する接点棒１７０は、左右のどちらにでも倒れるように構成されるか、または通常回転の時には倒れて逆回転の時には倒れないように構成される。
【０２３８】
そして、接点棒１７０は接点１７１を備え、接点１７１が有線によりＣＰＵ１０５と接続されている。
【０２３９】
ロータリー１１２が通常回転する場合には、接点棒１７０は、図１５（ｂ）に示すように、通信タグ１６１の接点１６２が設けられていない側によって倒されて、ロータリー１１２の回転方向に倒れる。
【０２４０】
しかし、ロータリー１１２は、通常回転とは逆回転をすると、図１５（ｃ）に示すように、通信タグ１６１に備えられる接点１６２が接点棒１７０の接点１７１と接続する。
【０２４１】
このように、通信タグ１６１が、接点１６２、１７１を利用してＣＰＵ１０５と有線接続する場合には、ロータリー１１２が通常回転方向とは逆の方向に回転されて、接点１６２と接点１７１とが接するとロータリー１１２の回転がストップされ、接点１６２、１７１を介した有線通信が行われる。
【０２４２】
このように、ロータリー１１２が逆回転をすることで画像形成装置１００の通信タグ１６１とＣＰＵ１０５とが有線により通信されるように構成することも可能である。
【０２４３】
尚、ロータリー１１２の各色の現像機１１７に装着されるカートリッジ１６０に取り付けられる通信タグ１６１同士の接続形態は、上記のようなリング接続だけではなく、バス接続、スター接続などであってもよい。  また、通信タグ１６１同士の通信は、有線に限られるものではなく、無線による通信であっても良い。
【０２４４】
尚、通信タグ１６１は、接点１６２、１７１が介されてＣＰＵ１０５と有線接続される場合に、無線プロトコル通信する為のアンテナを有していなくてもよい。
【０２４５】
尚、通信タグ１６１が設置されるカートリッジ１６０は、トナーを収容するトナーカートリッジに限定されず、インクカートリッジであってもよい。
【産業上の利用可能性】
【０２４６】
この発明は、着脱ユニット、現像剤収容器および画像形成装置において利用可能である。
【図面の簡単な説明】
【０２４７】
【図１】画像形成装置１の一部の構成を示した模式図。
【図２】ＣＰＵ６と通信タグ６１との通信状態を示した模式図。
【図３】通信タグＫ（２１）がマスタとなって、パルス数による通信タグ６１の位置検知が行われる様子を示す模式図。
【図４】通信タグＫ（２１）がマスタとなって、パルス時間による通信タグ６１の位置検知が行われる様子を示す模式図。
【図５】ＣＰＵ６がマスタとなって、パルス数による通信タグ６１の位置検知が行われる様子を示す模式図。
【図６】ＣＰＵ６がマスタとなって、パルス時間による通信タグ６１の位置検知が行われる様子を示す模式図。
【図７】ＣＰＵ６が通信タグ８１と通信可能な場合を示す模式図。
【図８】画像形成装置１００の一部の構成を示した模式図。
【図９】ロータリー１１２周辺の構成を示した模式図。
【図１０】ロータリー１１２の回転と、通信タグ１６１の通信時の関係について示した模式図。
【図１１】ＣＰＵ１０５がカートリッジ１６０の位置検知を行う様子を示す模式図。
【図１２】カートリッジ１６０が間違った位置に取り付けられた場合の位置検知について示した模式図。
【図１３】カートリッジ１６０の１つが取り付けられていない場合の位置検知について示した模式図。
【図１４】感光体ドラム１０７と対向しない位置の現像機１１７に装着されるカートリッジ１６０の通信タグ１６１がＣＰＵ１０５と通信する画像形成装置１００の模式図。
【図１５】通信タグ１６１とＣＰＵ１０５とが有線で通信される構成を示す模式図。
【符号の説明】
【０２４８】
１    画像形成装置
２    用紙トレイ
３    中間転写ユニット
４    転写ローラ
５    定着機
６    ＣＰＵ
７    通信部
８    印刷機構Ｋ
９    印刷機構Ｃ
１０    印刷機構Ｍ
１１    印刷機構Ｙ
２０    カートリッジＫ
３０    カートリッジＣ
４０    カートリッジＭ
５０    カートリッジＹ
２１    通信タグＫ
３１    通信タグＣ
４１    通信タグＭ
５１    通信タグＹ
１００    画像形成装置
１０１    用紙トレイ
１０２    転写ローラ
１０３    帯電ローラ
１０４    定着機
１０５    ＣＰＵ
１０６    通信部
１０７    感光体ドラム
１０８    露光装置
１１２    ロータリー
１１３    現像機Ｋ
１１４    現像機Ｃ
１１５    現像機Ｍ
１１６    現像機Ｙ
１２０    カートリッジＫ
１３０    カートリッジＣ
１４０    カートリッジＭ
１５０    カートリッジＹ
１２１    通信タグＫ
１３１    通信タグＣ
１４１    通信タグＭ
１５１    通信タグＹ
１２２、１３２、１４２、１５２    接点
１７１    接点
１７０    接点棒
【図１】
2009237076.tif 000003
【図２】
2009237076.tif 000004
【図３】
2009237076.tif 000005
【図４】
2009237076.tif 000006
【図５】
2009237076.tif 000007
【図６】
2009237076.tif 000008
【図７】
2009237076.tif 000009
【図８】
2009237076.tif 000010
【図９】
2009237076.tif 000011
【図１０】
2009237076.tif 000012
【図１１】
2009237076.tif 000013
【図１２】
2009237076.tif 000014
【図１３】
2009237076.tif 000015
【図１４】
2009237076.tif 000016
【図１５】
2009237076.tif 000017